(57)【要約】【課題】開封が容易で、開封後は円筒形電池の取出が容易な電池ケースを提供する。【解決手段】上下方向を軸として正立した複数の円筒形電池が収納される直方体形状の電池ケース１ｃであって、差し込み２１を有する外フラップ２０は、左右一方の側面６の上縁辺に連接され、前後左右の側面（４〜７）を周回する断続的な切り込みからなる分離線８を備え、左右他方の側面７には、上縁辺７１に舌片状に突出する突起部７２が形成されているとともに、突起部と分離線とを連絡する切り込みからなる分離補助線８１が形成され、突起部を起点として、分離補助線を経て分離線が破断されると、上箱部１１ｃと下箱部１２ｃとに分離される。【選択図】図５
2019169408.tif 000002
【特許請求の範囲】
【請求項１】
上下方向を軸として正立した複数の円筒形電池が収納される直方体形状の箱からなる電池ケースであって、
上面は、差し込みを有する外フラップを兼ね、
前記外フラップは、左右一方の側面の上縁辺に連接され、
前記差し込みは、左右他方の側面の上縁辺側に挿入され、
前後左右の側面を周回する断続的な切り込みからなる分離線を備え、
前記左右他方の側面には、上縁辺に舌片状に突出する突起部が形成されているとともに、当該突起部と前記分離線とを連絡する切り込みからなる分離補助線が形成され、
前記突起部を起点として、前記分離補助線を経て前記分離線が破断されると、上箱部と下箱部とに分離される、
ことを特徴とする電池ケース。
【請求項２】
請求項１に記載の電池ケースにおいて、
前記下箱部の左面、および右面には、前後に平行な切り込みからなる二本一組の破断線が形成され、
前記二本一組の破断線が下面に連続し、
一組中の二本の前記破断線によって狭持された領域が、左右の側面と下面とに対して内方に向かって立ち上げられることで、前記下箱部内に、正立している前記円筒形電池を支える転倒防止部が形成される、
ことを特徴とする電池ケース。
【請求項３】
請求項２に記載の電池ケースにおいて、
前記転倒防止部の前後幅は、前記円筒型電池の直径の整数倍である、
ことを特徴とする電池ケース。
【請求項４】
請求項３において、前記転倒防止部は、左右対称となるように、左方と右方にそれぞれ複数箇所に形成されることを特徴とする電池ケース。
【請求項５】
請求項１〜４のいずれ一項に記載の電池ケースにおいて、単三形あるいは単四形の円筒形電池を収納することを特徴とする電池ケース。
【発明の詳細な説明】
【技術分野】
【０００１】
この発明は電池ケースに関する。
【背景技術】
【０００２】
円筒形電池（以下、電池とも言う）の販売形態として、複数の円筒形電池を紙製の電池ケースに箱詰めした状態で販売する「箱売り」がある。図１に箱売り用の電池ケースの一例を示した。図１（Ａ）は、開封前の電池ケース１ａを示しており、図１（Ｂ）は、開封した状態の電池ケース１ａを示している。図１（Ａ）に示したように、電池ケース１ａは、厚紙でできた直方体の箱であり、箱の一面２が外フラップ２０を兼ね、電池を取り出す際には、この外フラップ２０を開く。ここで、閉じた状態にある外フラップ２０の法線方向を上下方向とするとともに、電池ケース１ａの底を下面３として、上下方向を規定する。また、外フラップ２０が左面６の上縁辺に連接しているものとして左右の各方向を規定することとする。そして、上下左右の各方向に直交する方向を前後方向とする。なお、前後の各方向については、図１（Ａ）、（Ｂ）に示したように、前方から後方を見たときに左右の各方向が一致するように規定する。
【０００３】
図１（Ｂ）に示したように、外フラップ２０は、右面７側の先端に差し込み２１を備え、前面４と後面５の上縁辺には、内フラップ（４１、５１）が連接している。そして、電池ケース１ａ内には、４０本の電池１００が、上下方向を円筒軸方向として立てられた状態（以下、正立状態とも言う。なお、ここでは各電池の極性の向きは問わないものとする）で収納されている。ここでは、４行１０列となるように、左右方向に４本、前後方向に１０本の電池１００が収納されている。なお、図１に示した電池ケース１ａには、１列分の４本の円筒型電池１００を一組とした電池パック１０１が前後方向に１０個収納されている。
【０００４】
また、箱売り用の電池ケースとしては、ミシン目やジッパーなど、断続的に形成された切り込みからなる切り取り線を破断することで上下に二つに分離できるとともに、その分離した一方を、電池１００を保管するためのトレイとして使用できるものもある。図２にトレイとしても使える従来の電池ケース１ｂを示した。図２（Ａ）は、開封前の電池ケース１ｂを示しており、図２（Ｂ）は、電池ケース１ｂを二つに分離した状態を示している。
【０００５】
図２（Ａ）に示したように、開封前の電池ケース１ｂの外観は、図１（Ａ）に示した電池ケース１ａと同様に厚紙でできた直方体の箱である。また、電池ケース１ｂの上面２が外フラップ２０を兼ねている点も同じである。しかし、上面２と下面３を連絡する前後左右の側面（４〜７）には、切り込みを断続的に周回させてなる切り取り線８が形成されている。そして、その切り取り線８を破断すると、図２（Ｂ）に示したように、電池ケース１ｂが上箱部１１ｂと、下箱部１２ｂとに分離される。下箱部１２ｂは、トレイ状で、電池１００の一時的な保管ケースとして利用される。電池１００の使用者は、下箱部１２ｂから電池パック１０１を適宜に取り出していく。なお、トレイとしても使用できる電池ケースについては、以下の特許文献１にも記載されている。
【先行技術文献】
【特許文献】
【０００６】
【特許文献１】特開２００３−２０５９３３号公報
【発明の概要】
【発明が解決しようとする課題】
【０００７】
電池ケースに収納された電池は、例えば、オフィスなどにおいて、文房具などの事務用品と同様に、随時消費されながら使用される常備品として購入されることが多い。そして、オフィスでは、電池は、電池ケース内に収納された状態で保管される。したがって、使用者が電池を使用する際には、まず、電池ケースを開封する必要がある。例えば、図１に示した電池ケース１ａでは、外フラップ２０の先端側に形成されている差し込み２１を引き出して開封することになる。具体的には、差し込み２１と、その差し込み２１が挿入されている右面７との間に指を入れ、差し込み２１ごと外フラップ２０を引き起こして電池ケース１ａを開封する。そのため、電池ケース１ａが紙製であることから、電池ケース１ａの外形が変形したり、差し込み２１や右面７が破れたりすることがある。また、オフィスに勤務する人には、つけ爪をつけていたり、爪にネイルアートを施していたりする人がいる。そのような人が電池ケース１ａを開封すると、つけ爪が取れたり、ネイルアートの装飾が剥がれたりする場合もある。開封後に最初に電池ケース１ａから電池パック１０１を取り出す際にも、電池ケース１ａの内面と電池パック１０１との間に指を差し込んで電池パック１０１を引き出すことになり、開封時と同様の問題が発生する。
【０００８】
図２に示した、開封後にトレイとして使える電池ケース１ｂは、前後左右の側面（４〜７）の高さが低いトレイで電池１００を保管するため、電池パック１０１を容易に取り出すことができる。しかし、開封時には、前後左右の側面（４〜７）に形成されている切り取り線８に沿って爪を立てながら切り取り線８を破断し、電池ケース１ｂを上下の箱部（１１ｂ、１２ｂ）に分離する必要がある。したがって、電池ケース１ｂにおいても、開封に際し、上述したつけ爪やネイルアートの装飾に関する問題が発生する。
【０００９】
そこで本発明は、容易に開封することができ、開封後は、容易に円筒形電池を取り出すことができる電池ケースを提供することを目的としている。
【課題を解決するための手段】
【００１０】
上記目的を達成するための本発明の一態様は、上下方向を軸として正立した複数の円筒形電池が収納される直方体形状の箱からなる電池ケースであって、
上面は、差し込みを有する外フラップを兼ね、
前記外フラップは、左右一方の側面の上縁辺に連接され、
前記差し込みは、左右他方の側面の上縁辺側に挿入され、
前後左右の側面を周回する断続的な切り込みからなる分離線を備え、
前記左右他方の側面には、上縁辺に舌片状に突出する突起部が形成されているとともに、当該突起部と前記分離線とを連絡する切り込みからなる分離補助線が形成され、
前記突起部を起点として、前記分離補助線を経て前記分離線が破断されると、上箱部と下箱部とに分離される、
ことを特徴とする電池ケースとしている。
【００１１】
前記下箱部の左面、および右面には、前後に平行な切り込みからなる二本一組の破断線が形成され、
前記二本一組の破断線が下面に連続し、
一組中の二本の前記破断線によって狭持された領域が、左右の側面と下面とに対して内方に向かって立ち上げられることで、前記下箱部内に、正立している前記円筒形電池を支える転倒防止部が形成される、
電池ケースとすれば好ましい。
【００１２】
より好ましくは、前記転倒防止部の前後幅を前記円筒型電池の直径の整数倍にすることである。前記転倒防止部は、左右対称となるように、左方と右方にそれぞれ複数箇所に形成されていてもよい。単三形あるいは単四形の円筒形電池を収納する電池ケースとしてもよい。
【発明の効果】
【００１３】
本発明の電池ケースによれば、容易に開封することができ、開封後は、容易に円筒形電池を取り出すことができる。そのため、例えば、オフィスでの使用に適している。なお、その他の効果については以下の記載で明らかにする。
【図面の簡単な説明】
【００１４】
【図１】従来の電池ケースの一例を示す図である。
【図２】従来の電池ケースのその他の例を示す図である。
【図３】本発明の実施例に係る電池ケースにおける電池の収納状態を示す図である。
【図４】本発明の実施例に係る電池ケースの外観図である。
【図５】上記実施例に係る電池ケースの開封方法と、開封状態とを示す図である。
【図６】上記実施例に係る電池ケースが備える転倒防止部の説明図である。
【図７】上記実施例に係る電池ケースを構成するトレイの変形例を示す図である。
【図８】上記トレイの変形例における転倒防止部の使用状態を示す図である。
【図９】本発明のその他の実施例に係る電池ケースを示す図である。
【図１０】上記その他の実施例に係る電池ケースの開封状態を示す図である。
【図１１】上記その他の実施例に係る電池ケースの起源となる台紙を示す図である。
【発明を実施するための形態】
【００１５】
本発明の実施例について、以下に添付図面を参照しつつ説明する。なお以下の説明に用いた図面において、同一又は類似の部分に同一の符号を付して重複する説明を省略することがある。ある図面において符号を付した部分について、不要であれば他の図面ではその部分に符号を付さない場合もある。
【００１６】
＝＝＝実施例＝＝＝
本発明の実施例に係る電池ケースは、容易に開封できる構造を有して、上述したつけ爪やネイルアートに関わる問題が発生しないようになっている。さらに、実施例に係る電池ケースは、電池の在庫管理を容易にするための機能も有している。例えば、図１や図２に示した従来の電池ケース（１ａ、１ｂ）では、電池パック１０１が随時取り出されて、電池ケース（１ａ、１ｂ）内の電池パック１０１の残数が少なくなると、電池パック１０１が横倒しになり、電池パック１０１が取り出し難くなるという問題がある。特に、単三形あるいは単四形などの細い円筒形電池用の電池パック１０１が倒れやすい。電池パック１０１が転倒すると、電池パック１０１が上下方向に重なり、電池ケース１ａ内の電池パック１０１の残数が確認し難くなり、オフィスにおける常備品の在庫管理が繁雑になる。本発明の実施例に係る電池ケースでは、電池が転倒し難く、電池の残数を容易に確認することができる機能を備えている。
【００１７】
＜外観形状＞
本発明の実施例に係る電池ケースの構造や機能を説明するために、４０本の単三形円筒形電池（以下、電池とも言う）が４行１０列に並べられた状態で収納される電池ケースを挙げる。図３と図４に本発明の実施例に係る電池ケース１ｃの外観を示した。なお、以下では、図１や図２に示した電池ケース（１ａ、１ｂ）と同様に、上下、左右、前後の各方向を規定することとする。したがって、図３は、電池ケース１ｃ内における電池パック１０１の収納状態を上右前方から見たときの斜視図である。また、図４（Ａ）は開封前の電池ケース１ｃを上右前方から見たときの斜視図であり、図４（Ｂ）は開封前の電池ケース１ｃを下左後方から見たときの斜視図である。
【００１８】
図３、図４（Ａ）、図４（Ｂ）に示したように、開封前の実施例に係る電池ケース１ｃは、直方体形状の箱である。電池ケース１ｃの上面２は、図３に示したように、外フラップ２０を兼ねている。そして、電池ケース１ｃ内には、左右に並んだ１列分の４個の電池１００を一組とした電池パック１０１が、前後方向に１０個収納されている。なお、各電池１００は負極端子を下方に向けた正立状態で収納されており、電池ケース１ｃは、電池１００が収納された状態で出荷される。すなわち、図４（Ａ）に示したように、外フラップ２０が閉じられ、差し込み２１が電池ケース１ｃの右面７の内側に挿入された状態で出荷される。
【００１９】
実施例に係る電池ケース１ｃは、外フラップ２０の差し込み２１と右面７との間に指を掛けずに開封することができるようになっている。基本的には、図２に示した電池ケース１ｂのように、切り取り線８を介して上下方向に分離することで開封するように構成されている。しかし、実施例に係る電池ケース１ｃでは、その分離作業に際し、切り取り線８を、爪を立てずに容易に破断することができるようになっている。
【００２０】
図３、図４（Ａ）、図４（Ｂ）に示したように、左面６、前面４、右面７、および後面５を形成する側面には、これらの側面（６、４、７、５）を上下に二分する直線状の切り取り線（以下、分離線８とも言う）が下面３と平行となるように周回して形成されている。この例では、鎖線状に切り込みを連続させてなるミシン目によって分離線８が形成されている。さらに、外フラップ２１が差し込まれている右面７の上縁辺７１の一部に舌片状に突出する二つの突起部７２が前後に連続して形成されている。そして、断続的な切り込みからなる切り取り線（以下、分離補助線８１とも言う）が、右面７に形成されている分離線８と突起部７２とを連絡するように形成されている。この例では、二つの突起部７２の境界を起点として分離補助線８１が下方に向けて形成され、その分離補助線８１が分離線８に接続している。
【００２１】
さらに、実施例に係る電池ケース１ｃの左面６、および右面７には、下面３に連続する切り込みからなる二本一組の破断線（９１Ｌ、９２Ｌ、および９１Ｒ、９２Ｒ）が形成されている。左面６と下面３、および右面７と下面３とにわたって形成されている二本一組の破断線（９１Ｌ、９２Ｌ、および９１Ｒ、９２Ｒ）は、それぞれの二本の破断線同士（９１Ｌと９２Ｌ、および９１Ｒと９２Ｒ）が互いに前後に平行となるように形成されている。それによって、当該二本一組の破断線（９１Ｌ、９２Ｌ、および９１Ｒ、９２Ｒ）によって狭持された領域９に切起こし部が形成される。なお、この領域（以下、切起こし部９とも言う）は、後述するように、電池ケース１ｃがトレイとして使用されているときに、トレイの内方に押し込まれることで、電池パック１０１の転倒を防止するための部材（以下、転倒防止部とも言う）として使用される。
【００２２】
＜開封手順＞
まず、実施例に係る電池ケース１ｃの開封手順について説明する。図５に、電池ケース１ｃの開封手順の一例を示した。図５（Ａ）に示したように、右面７の上縁辺７１に形成された二つの突起部（７２ｆ、７２ｂ）のそれぞれをつまみ、一方の突起部（７２ｆ、または７２ｂ）を右下方に向けて引っ張る。ここでは、後方の突起部７２ｂを引っ張ることとしている。それによって、二つの突起部（７２ｆ、７２ｂ）の境界を起点として下方に向かって形成されている分離補助線８１が破断する。そして、分離補助線８１を分離線８との接続位置まで破断したならば、突起部７２ｂをつまんだまま、上方から見て反時計回りに分離線８を破断していく。それによって、図５（Ｂ）に示したように、電池ケース１ｃが上箱部１１ｃと下箱部１２ｃとに分離され、下箱部１２ｃが電池１００や電池パック１０１を保管するためのトレイとして使用できるようになる。
【００２３】
＜転倒防止機能＞
上述したように、本実施例の電池ケース１ｃは、下箱部１２ｃをトレイとして使用する際に、電池パック１０１の転倒を防止するための転倒防止機能を備えている。ここで、図４（Ａ）と図４（Ｂ）とを参照すると、電池ケース１ｃにおいて、下箱部（以下、トレイ１２ｃとも言う）には、左面６から下面３に連続する二本一組の破断線（９１Ｌ、９２Ｌ）と、右面７から下面３に連続する二本一組の破断線（９１Ｒ、９２Ｒ）とによって形成された切起こし部９が形成されている。電池ケース１ｃの左方と右方に形成されている二本一組の破断線（９１Ｌ、９２Ｌ、および９１Ｒ、９２Ｒ）は、前後方向に平行で、前後方向から見て同じ位置に形成されている。また、実施例に係る電池ケース１ｃでは、二本一組の破断線（９１Ｌ、９２Ｌ、および９１Ｒ、９２Ｒ）の端部間に折り線９３が形成されている。そして、左右方向から見て、左方の二本一組の破断線（９１Ｌ、９２Ｌ）のうち、後方に形成されている破断線９２Ｌの位置と、右方の二本一組の破断線（９１Ｒ、９２Ｒ）のうち、前方に形成されている破断線９１Ｒの位置とが一致している。すなわち、左方の二本一組の破断線（９１Ｌ、９２Ｌ）と、右方の二本一組の破断線（９１Ｒ、９２Ｒ）とは前後方向に互い違いとなるように形成されている。また、実施例に係る電池ケース１ｃでは、二本一組の破断線（９１Ｌ、９２Ｌ、および９１Ｒ、９２Ｒ）における、左右の側面（６、７）側の上下方向の長さと、下面３側の左右方向の長さが等しく、側面（６、７）の下縁辺（下面３の左右の縁辺）によって、各破断線（９１Ｌ、９２Ｌ、および９１Ｒ、９２Ｒ）の全長が等分される。
【００２４】
図６に、実施例に係る電池ケース１ｃの転倒防止機能の概略を示した。図６（Ａ）は、切起こし部９がトレイ１２ｃの内方に押し込まれた状態を示す斜視図であり、図６（Ｂ）は、切起こし部９がトレイ１２ｃの内方に押し込まれた状態を上方から見たときの平面図である。図６（Ａ）に示したように、切起こし部９は、トレイ１２ｃ内に押し込まれ、トレイ１２ｃ内の下面３と左右の側面（６、７）とに対して立ち上げられる。このとき、破断線（９１Ｌ、９２Ｌ、および９１Ｒ、９２Ｒ）の端部に形成された折り線９３が、トレイ１２ｃの外方から見て山折りされ、切起こし部９の領域内における左右の側面（６、７）の下縁辺９４（下面３の左右の縁辺９４）が谷折りされる。それによって、切起こし部９が転倒防止部１０として矩形箱状に変形する。そして、この転倒防止部１０によってトレイ１２ｃ内が前後に複数の電池収納領域に仕切られる。なお、実施例に係る電池ケース１ｃでは、切起こし部９における側面（６、７）の下縁辺９４によって、各破断線（９１Ｌ、９２Ｌ、および９１Ｒ、９２Ｒ）の全長が等分されているため、転倒防止部１０は、前後方向から見ると正方形状に形成される。
【００２５】
また、実施例に係る電池ケース１ｃでは、転倒防止部１０は、前後幅Ｌが、電池１００の直径の二倍となるように形成されており、トレイ１２ｃの前面４から右方の転倒防止部１０Ｒの前端までの領域、およびトレイ１２ｃの後面５から左方の転倒防止部１０Ｌの後端までの領域にそれぞれ、３列分の電池パック１０１に対応する電池収納領域が形成される。図６（Ｂ）に示した例では、図中、斜線のハッチングによって示した、トレイ１２ｃ内の前端側と後端側の電池収納領域（２０１、２０２）に、それぞれ３個の電池パック１０１が正立状態で収納されており、前方から３列目の電池パック１０２、および後方から３列目の電池パック１０３が、それぞれ、右方の転倒防止部１０Ｒの前縁、および左方の転倒防止部１０Ｌの後縁に当接している。それによって、前方と後方のそれぞれの電池収納領域（２０１、２０２）に収納されている３個の電池パック１０１は、転倒することなく正立状態を維持することができる。
【００２６】
もちろん、トレイ１２ｃ内の電池パック１０１の残数に応じ、二つの転倒防止部（１０Ｌ、１０Ｒ）の一方のみをトレイ１２ｃの内方に形成してもよい。電池パック１０１の残数が３個、５個、８個のいずれかである場合は、左右一方の転倒防止部（１０Ｌまたは１０Ｒ）をトレイ１２ｃ内に形成すればよい。電池パック１０１の残数が６個である場合は、二つの転倒防止部（１０Ｌ、１０Ｒ）をトレイ１２ｃ内に形成すればよい。なお、電池パック１０１の残数が２個、４個、７個のいずれかである場合でも、その残数に応じ、二つの転倒防止部（１０Ｌ、１０Ｒ）のいずれか、あるいは両方を形成すればよい。残数が９個である場合は、転倒防止部１０を形成しない。そして、電池パック１０１の残数が２個、４個、７個、９個のいずれかである場合、トレイ１２ｃ内の電池パック１０１は、前後方向に１列分の間隙のみが生じた状態で収納されることになる。そのため、トレイ１２ｃ内である電池パック１０１が傾いたとしても、前後いずれかの電池パック１０１が支えになり、電池パック１０１は横倒しになり難く、電池パック１０１の残数も容易に確認することができる。電池パック１０１の残数が１個である場合は、当然のことながら残数が一目瞭然であり、横倒しになっていたとしても、他の電池パックと重なり合うことがないため、トレイ１２ｃから取り出し難くなることはない。なお、実施例の電池ケース１ｃでは、トレイ１２ｃ内の前端と後端に収納されている電池パック１０１が、前面４や後面５の外方に倒れる可能性も考慮し、トレイ１２ｃの前面４および後面５は、適宜な上下高（例えば、電池１００の上下高の半分以上など）を有している。
【００２７】
このように、本発明の実施例に係る電池ケース１ｃでは、特に、電池１００がオフィスでの在庫品として取り扱われる場合に適している。すなわち、開封に際しては、突起部７２をつまんで分離線８を破断することができるため、つけ爪をつけている人や、ネイルアートを施している人でも、指先に気を遣うことなく電池ケース１ｃを容易に開封することができる。そして、開封後は電池１００を保管するためのトレイ１２ｃとして利用することができる。そして、トレイ１２ｃの状態では、電池１００を容易に取り出すことができるとともに、電池１００が転倒し難く、残数を容易に確認することができる。そのため、オフィスにおける備品の在庫管理を簡略化することができる。
【００２８】
＝＝＝変形例＝＝＝
本発明の実施例に係る電池ケース１ｃには様々な変形例がある。例えば、上記実施例に係る電池ケース１ｃでは、転倒防止部１０を左方と右方に一つずつ形成できるようになっていたが、トレイ１２ｃの左方および右方の複数箇所に転倒防止部１０が形成できるようになっていてもよい。一例を挙げると、図７に示したトレイ１２ｄのように、左方、および右方に、それぞれ、二つの転倒防止部（１０Ｌｆ、１０Ｌｂ、および１０Ｒｆ、１０Ｒｂ）が左右対称に形成されるようにしてもよい。なお、図７に示したトレイ１２ｄでは、一つの転倒防止部１０の前後幅（Ｌ１、Ｌ２）が、一本の電池１００の直径と同程度である。また、前後の転倒防止部同士（１０Ｌｆ、１０Ｌｂ、および１０Ｒｆ、１０Ｒｂ）の間隙Ｌ３は、一本の電池１００の直径の二倍程度である。
【００２９】
図８は、図７に示したトレイ１２ｄにおいて、電池パック１０１の残数と、転倒防止部（１０Ｌｆ、１０Ｌｂ、および１０Ｒｆ、１０Ｒｂ）による電池収納空間の仕切り方との関係を示す図である。トレイ１２ｄに形成されている転倒防止部（１０Ｌｆ、１０Ｌｂ、および１０Ｒｆ、１０Ｒｂ）は、前後方向に対して互いに左右対称となる位置にある二つの転倒防止部（１０Ｌｆ、１０Ｒｆ、および１０Ｌｂ、１０Ｒｂ）を一組として、一組単位でトレイ１２ｄの内方に形成される。そして、図８（Ａ）に示したように、例えば、トレイ１２ｄ内に一組の転倒防止部（１０Ｌｂ、１０Ｒｂ）のみを形成して、トレイ１２ｄ内を、図中斜線のハッチングで示した、前後二つの電池収納領域（２０３、２０４）に仕切る場合では、最大で９個の電池パック１０１を収納することができる。そして、電池パック１０１の残数が、３個、６個、および９個であるときには、電池パック１０１が転倒防止部（１０Ｌｂ、１０Ｒｂ）によって確実に支えられて、正立状態を維持することができる。電池パックの残数が、２個、５個、７個、および８個である場合であっても、トレイ内に残った電池パックは、前後方向に１列分の間隙が生じるだけであり、前後の電池パック同士が互いに支え合うため、転倒し難い。
【００３０】
また、図８（Ｂ）に示したように、全ての転倒防止部（１０Ｌｆ、１０Ｒｆ、および１０Ｌｂ、１０Ｒｂ）をトレイ１２ｄ内に形成した場合では、トレイ１２ｄ内に三つの電池収納領域（２０４、２０５、２０６）が形成され、全ての領域に最大で８個の電池パック１０１を収納することができ、図８（Ｃ）に示したように、前後の幅が最も狭い前後中央の電池収納領域２０５には、２個の電池パック１０１を隙間なく収納することができる。したがって、全ての転倒防止部（１０Ｌｆ、１０Ｒｆ、および１０Ｌｂ、１０Ｒｂ）をトレイ１２ｄ内に形成した場合では、電池パック１０１の残数が、２個、３個、５個、６個、および８個であるときには、電池パック１０１が転倒防止部１０によって確実に支えられる。電池パック１０１の残数が、１個、２個、４個、５個、および７個の場合であっても、トレイ１２ｃ内の電池パック１０１は、前後方向に１列分の間隙が生じた状態で収納されることになり、横倒しになることはない。なお、図７に示したトレイ１２ｄにおいて、前方から２番目の破断線（９２Ｌｆ、９２Ｒｆ）と、３番目の破断線（９１Ｌｂ、９１Ｒｂ）とによって狭持された前後幅Ｌ３の領域をトレイ１２ｄの内方に押し込めば、この領域にも転倒防止部１０を形成することができる。それによって、トレイ１２ｄ内の仕切り方がさらに多様になり、どのような電池パック１０１の残数にも柔軟に対応することができる。
【００３１】
また、図７に示したトレイ１２ｄにおいて、転倒防止部１０の前後幅（Ｌ１、Ｌ２）は、左右で対称であれば、一定でなくてもよい。例えば、前方の転倒防止部（１０Ｌｆ、１０Ｒｆ）の前後幅Ｌ１を電池二本分の幅とし、後方の転倒防止部（１０Ｌｂ、１０Ｒｂ）の前後幅Ｌ２を電池一本分の幅にするなど、転倒防止部１０の前後幅（Ｌ１、Ｌ２）は適宜に設定することができる。このように、転倒防止部１０の前後幅（Ｌ１、Ｌ２）を適宜に設定することでもトレイ１２ｄ内の仕切り方をより多様にすることができる。
【００３２】
図３〜図５に示した上記実施例に係る電池ケース１ｃでは、前後および左右の側面（４〜７）に下面３と平行となる分離線８が周回し、右面７の上縁辺７１に形成された二つの突起部７２の境界から下方に向けて分離補助線８１が形成されていたが、分離線８は、前後左右の側面（４〜７）に、断続的に周回する切り込みによって形成されていれば、その周回形状は、適宜に設定できる。例えば、前後左右の側面（４〜７）のいずれかに、上端から下面にわたって何らかの図案が印刷されている場合、電池ケース１ｃを下面３に平行な分離線８によって上下に分離してしまうと、トレイ１２ｃの状態ではその図案も上下に分割されてしまう。そのため、トレイ１２ｃの美観が損なわれる可能性がある。あるいは、図案が電池１００のサイズなどを示す文字であれば、図案が分離されてしまうと、トレイ１２ｃ内の電池１００のサイズを確認し難くなる。
【００３３】
図９と図１０に、分離線８の周回形状が異なる電池ケース１ｅを示した。図９は、外フラップ２０が開いた状態にある電池ケース１ｅを示す斜視図であり、図１０は、開封されて、上箱部１１ｅとトレイ１２ｅとに分離された状態の電池ケース１ｅを示す斜視図である。また、図１０では、トレイ１２は、転倒防止部１０が形成されている状態になっている。なお、図９と図１０に示した電池ケース１ｅでは、図７に示したトレイ１２ｄと同様に、左面６と右面７のそれぞれに、下面３に連続する切起こし部９が二つずつ形成されている。
【００３４】
図９に示したように、電池ケース１ｅは、右面７後端側に、電池１００のサイズが単三であることを示す「３」の文字７３が上端から下端にわたって印刷されている。そして、分離線８は、右面７において、前方から後方に向かって下面３と平行に延長しつつ、その文字７３の手前で上方に屈曲して右面７の上縁辺７１に至っている。そして、分離線８の屈曲点から右面７の上縁辺７１に至る線分が分離補助線８１を兼ねている。
【００３５】
右面７の上縁辺７１は、後端側で後面５の上縁辺５２に連続しており、この後面５の上縁辺５２に内フラップ５１が連接している。そして、後面５の上縁辺５２にも分離線８が形成されており、後面５の上縁辺５２を兼ねる分離線８は、左面６の上縁辺６１の上後方のコーナー６２を経て、左面６を下斜め前方に向かって傾斜した後、下面３と平行に前方に向かっている。なお、左面６と右面７の分離線８において、下面３と平行な部分は、上下位置が同じである。そして、分離線８は、左面６の前端から前面４を経て右面７の分離線８の前端に接続している。このように、図９に示した電池ケース１ｅでは、分離線８が、右、後、左、および前の各側面（７、５、６、４）を周回しつつ、一部において、分離補助線８１や右面７の上縁辺７１を兼ねている。
【００３６】
また、右面７の上縁辺７１は、分離補助線８１の上端から前方に向けて山状に湾曲している。そして、この山状の湾曲領域が突起部７２となっている。分離補助線８１の上端には、切欠８２が形成されており、突起部７２を引っ張る力が小さくても分離補助線８１が確実に破断するようになっている。そして、この電池ケース１ｅを開封する際には、突起部７２をつまんで、その突起部７２を右下前方に引っ張る。それによって、分離線８が、分離補助線８１と共通する部分を経て上方から見て時計回りに破断され、図１０に示したように、電池ケース１ｅは、上箱部１１ｅとトレイ１２ｅとに分離される。そして、その他の実施例に係る電池ケース１ｅを、トレイ１２ｅの状態にすると、右面７の後端側に印刷されている文字３が分断されず、トレイ１２ｅ内に収納されている電池１００のサイズが確認し易くなる。また、後方の内フラップ５１が切り離され、左面６は、上縁辺６１の後端のコーナー６２から下前方に向けて鋭角的に傾斜するように破断される。それによって、後端側の電池パック１０１が、内フラップ５１や左面６の上縁辺６１に隠れることがなく、電池パック１０１が取り出し難くなることもない。
【００３７】
参考までに、図１１に、図９に示した電池ケース１ｅの起源となる台紙３０１を示した。図１１では、台紙３０１において、電池ケース１ｅの外方側となる面が示され、電池ケース１ｅの各面（２〜７）となる領域が同じ符号（２〜７）で示されている。また、分離線８、分離補助線８１、および切起こし部９における破断線（９１Ｌｆ、９２Ｌｆ、９１Ｌｂ、９２Ｌｂ、９１Ｒｆ、９２Ｒｆ、９１Ｒｂ、９２Ｒｂ）が破線で示されている。さらに、折り線が点線で示されている。図１１に示したように、下面３は、相互に係合し合う二つの領域（３１、３２）からなり、内フラップ（４１、５１）は、前面４と後面５の上縁辺と下縁辺のそれぞれに連接されている。なお、左面６の後縁辺６３には糊代６４が連接されて、図９に示した電池ケース１ｅでは、左面６と後面５とがその糊代によって接着されている。
【００３８】
＝＝＝その他の実施例＝＝＝
切起こし部は、破断線が破断されても切り離されることがないことから、ミシン目のように、断続的な切り込みによって形成されていてもよいし、一本の切り込みのみで形成されていてもよい。
【００３９】
転倒防止部の前後長は、トレイ内に収納されている電池の転倒が防止できるのであれば、正確に電池の直径の整数倍でなくてもよい。また、前後方向から見たときの転倒防止部の正面形状は正方形でなくてもよい。例えば、切起こし部を形成する破断線の全長において、左右の面に形成されている線分の長さと、下面に形成されている線分の長さが等しくない場合、外方から見て左右の側面の下縁辺を谷折りにすると、転倒防止部の正面形状は台形になる。
【００４０】
あるいは、切起こし部をトレイ内に押し込んで転倒防止部を形成する際、左右の側面の下縁辺を折り線にしなくてもよい。例えば、切起こし部を形成する破断線の全長において、左右の面に形成されている線分の長さと、下面に形成されている線分の長さが等しくない場合であっても、破断線の全長を二等分する位置に折り線を形成すれば、転倒防止部の正面形状は正方形になる。いずれにしても、切起こし部をトレイ内に押し込むと、ブロック状の転倒防止部が形成されるようにすればよい。
【００４１】
突起部の形状は山形に限らず、指でつまみ易い形状であれば、例えば矩形状など適宜な形状にすることができる。また、分離補助線の起点は、突起部の前後いずれかの端部と一致していなくてもよい。例えば、一つの突起部の前後幅を両手の指でつまむことができる程度にすれば、突起部を前後に分断するように分離補助線が形成されていてもよい。いずれにしても、分離補助線が、右面において、突起部と分断線とを連絡するように形成されていればよい。
【００４２】
本発明の実施例に係る電池ケースのサイズは、収納される電池のサイズや本数、あるいは一組の電池パックに含まれる電池の本数に応じて適宜に設定できる。なお、単一形や単二形の電池は、支えがなくても自立し易いことから、本発明の実施例に係る電池ケースは、単三形、あるいは単四形の電池を収納する用途において、より格別な効果を奏するものとなる。また、単三形や単四形の電池は、１個単位で販売されることがほとんどなく、電池パックの状態で提供されていることから、本発明の実施例やその変形例に係る電池ケースは、単三形、あるいは単四形の電池パックを収納する用途により適していると言える。
【符号の説明】
【００４３】
１ａ、１ｂ、１ｃ、１ｅ  電池ケース、２  上面、３  下面、４  前面、５  後面、
６  左面、７  右面、８  分断線（切り取り線）、９  切起こし部、
１０，１０Ｌ，１０Ｌｂ，１０Ｌｆ，１０Ｒ，１０Ｒｂ，１０Ｒｆ  転倒防止部、
１１ｂ、１１ｃ、１１ｅ  上箱部、
１２ｂ、１２ｃ、１２ｄ、１２ｅ  下箱部（トレイ）、２０  外フラップ、
２１  差し込み、４１  前方の内フラップ、５１  後方の内フラップ、
７１  右面の上縁辺、７２，７１ｆ，７２ｆ  突起部、７３  図案（文字）、
８１  分離補助線、
９１Ｌ，９１Ｌｂ，９１Ｌｆ，９１Ｒ，９１Ｒｂ，９１Ｒｆ  破断線、
９２Ｌ，９２Ｌｂ，９２Ｌｆ，９２Ｒ，９２Ｒｂ，９２Ｒｆ  破断線、
１００  電池、１０１  電池パック
【図１】
2019169408.tif 000003
【図２】
2019169408.tif 000004
【図３】
2019169408.tif 000005
【図４】
2019169408.tif 000006
【図５】
2019169408.tif 000007
【図６】
2019169408.tif 000008
【図７】
2019169408.tif 000009
【図８】
2019169408.tif 000010
【図９】
2019169408.tif 000011
【図１０】
2019169408.tif 000012
【図１１】
2019169408.tif 000013